(57)【特許請求の範囲】
【請求項１】
軸筒が先軸と後軸とを螺合連結してなるとともに、その先軸と後軸とに、中綿を備えた単一のインク吸蔵体の両端部の外径を先軸内に形成した先軸側吸蔵体嵌合保持部と後軸内に形成した後軸側吸蔵体嵌合保持部とで嵌合保持させ、かつ、その中綿に先軸に嵌合固定した角柱形のペン芯を挿入し、後軸に軸対称な略円柱形のペン芯が嵌合固定されている筆記具において、上記角柱形のペン芯を備えた先軸のインク吸蔵体に対する嵌合保持力を、当該インク吸蔵体と後軸との嵌合保持力よりも大きく設定するとともに、その嵌合保持力の差を先軸側吸蔵体嵌合保持部と後軸側吸蔵体嵌合保持部にそれぞれ形成したリブの突出量の長短又は面積の広狭により設定し、かつ、先軸と後軸との螺合状態を解除する際に、後軸側吸蔵体嵌合保持部とインク吸蔵体とが相対的に回転するように設定していることを特徴とする筆記具。
【発明の詳細な説明】
【０００１】
【発明の属する技術分野】
本発明は、マーカーペン等の筆記具に関する。
【０００２】
【従来の技術】
従来、マーカーペン等の筆記具においては、軸筒内に収容した中綿にインクを補充し又は中綿自体を新たなものに交換できるように、その軸筒を先軸と後軸とを互いに着脱自在に螺合した構成にするとともに、その一端部に角柱形のペン芯を配設した所謂再使用タイプのものがある。
【０００３】
上記構成においては、インクが消尽した場合、軸筒の軸心を中心として先軸と後軸とを所要の反対向きに捻ることにより、それら先軸と後軸とを分離し、中綿にインクを補充し又は新たな中綿に交換する。
【０００４】
【発明が解決しようとする課題】
しかしながら、上記従来の筆記具においては、中綿の一端部が先軸の内周面に、また、他端部が後軸の内周面によって嵌合保持されることになる。
従って、先軸と中綿との嵌合保持力よりも、後軸と中綿との嵌合保持力が大きい場合には、先軸と後軸とを上記のように捻ることにより、中綿と、角柱形のペン芯を嵌合固定した先軸とが相対的に、換言すると、角柱形のペン芯とこれを挿入している中綿が相対的に回転してしまう。
【０００５】
角柱形のペン芯と中綿とが相対的に回転することにより、当該角柱形のペン芯によって、中綿の接触端面を抉ることになって大きな窪みを生じさせ、これにより、当該ペン芯と中綿の接触面積が減少してインクの供給を十分に行えないことになり、筆記の際にインクが掠れるという欠点がある。
【０００６】
そこで本発明は、中綿を備えたインク吸蔵体にインクを補充しまたインク吸蔵体自体を新たなものに交換しようとするときにも、そのインク吸蔵体と角柱形のペン芯とが相対的に回転せず、従って、筆記時のインクの掠れ等が生じることがない筆記具を提供しようとするものである。
【０００７】
【課題を解決するための手段】
前記目的を達成するため、本発明は次の構成を有する。
すなわち、本発明筆記具は、軸筒が先軸と後軸とを螺合連結してなるとともに、その先軸と後軸とに、中綿を備えた単一のインク吸蔵体の両端部を嵌合保持させ、かつ、その中綿に先軸に嵌合固定した角形のペン芯を挿入した構成のものであり、その角形のペン芯を備えた先軸のインク吸蔵体に対する嵌合保持力を、当該インク吸蔵体と後軸との嵌合保持力よりも大きく設定していることを特徴としている。
【０００８】
上記においては、後軸に略円柱形のペン芯を嵌合保持した構成にすることもできる。
【０００９】
【発明の実施の形態】
本発明の実施の形態について、図面を参照して説明する。図１は、第１の実施形態に係る筆記具の側面図、図２は、その断面図である。
【００１０】
第１の実施形態に係る筆記具Ａは、図１，図２に示すように、角柱形のペン芯１及び略円柱形のペン芯２を軸筒３の両端部に配設した筆記具本体４と、これに装着されるキャップ５，６とからなるものである。
【００１１】
ペン芯１は、断面長方形にしたペン先部１ａと、このペン先１ａよりもやや小さい断面長方形にした中綿挿入部１ｂとからなり、例えばアクリル樹脂等の樹脂製合成繊維により一体に収束成形してなるものである。
【００１２】
ペン芯２は、円柱形の挿入誘導部２ａの後瑞に、これよりも太径にした同じく円柱形のペン先部２ｂを、上記ペン芯１と同じく例えばアクリル樹脂等の樹脂製合成繊維により一体に収束成形してなるものである。
【００１３】
軸筒３は、先軸７と後軸８とからなる。
先軸７は、上記ペン芯１を嵌合するためのペン芯嵌合部７ａを外端部に径細にして形成し、また、内瑞部内周面に、後軸８を螺合するためのテーパ形ねじ部７ｂを形成した略円筒形のものである。
【００１４】
先軸７の外端部寄りの内周面、詳しくはペン芯嵌合部７ａに続く内端部側内周面には、詳細を後述するインク吸蔵体１０を嵌合保持するための複数のリブ７ｃ′…を所要の角度間隔でかつ内側に向けて突設してなる先軸側吸蔵体嵌合保持部７ｃが形成されている。
【００１５】
また、先軸７の外端部寄りの外周面、詳しくはペン芯嵌合部７ａに続く内端部外周面には、キャップ５を挿嵌するためのやや小径にした段差部７ｄが形成されている。
【００１６】
後軸８は、上記ペン芯２を嵌合するためのペン芯嵌合部８ａを外端部に細径にして形成し、また、内端部外周面に、上記先軸７と螺合するためのテーパ形ねじ部８ｂを形成した略円筒形のものである。
【００１７】
後軸８内には、ペン芯嵌合部８ａの内端部寄りの内周面には、詳細を後述するインク吸蔵体１０を嵌合保持するための複数のリブ８ｃ′…を所要の角度間隔で内側に向けて突設してなる後軸側吸蔵体嵌合保持部８ｃが形成されている。
また、後軸８の外周面には、互いに所要の間隔を保持して、全周にわたる鍔部８ｄ，８ｅが突設されており、それら鍔部８ｄ，８ｅ間に例えばエラストマー等からなるグリップ部材９が装着されている。
【００１８】
インク吸蔵体１０は、円柱形に形成された中綿１１の外周面に、フィルム様の外装材１２を嵌装してなるものであり、両端部間で同じ外径にして形成されている。
【００１９】
上記先軸側吸蔵体嵌合保持部７ｃと後軸側吸蔵体嵌合保持部８ｃとは、インク吸蔵体１０に対する嵌合保持力を互いに異ならせている。
すなわち、先軸側吸蔵体嵌合保持部７ｃのインク吸蔵体１０に対する嵌合保持力を、後軸側吸蔵体嵌合保持部８ｃの嵌合保持力よりも大きく設定している。それら嵌合保持力の差は、例えばリブ７ｃ′…、８ｃ′…の突出量を長短させることにより、あるいは当該リブ７ｃ′…、８ｃ′…の面積を広狭させることにより設定することができる。
【００２０】
具体的には、後述するように互いに螺合させている先軸７と後軸８とを、互いに分離させるように捻ったとき、先軸側吸蔵体嵌合保持部７ｃとインク吸蔵体１０とが相対的に滑ることなく、換言すると、相対的に回転することなく、後軸側吸蔵体嵌合保持部８ｃと吸蔵体１０とが相対的に滑るように、換言すると、相対的に回転するように設定する。
【００２１】
上記構成からなる筆記具Ａの作用について、図３をも参照して説明する。
先軸７と後軸８とを螺合させているとき、インク吸蔵体１０の一端部は先軸側吸蔵体嵌合保持部７ｃに、また、そのインク吸蔵体１０の他端部は後軸側吸蔵体嵌合保持部８ｃに嵌合保持されている。
【００２２】
ペン芯嵌合部７ａに嵌合させたペン芯１は、図２に示すように、それの中綿挿入部１ｂをインク吸蔵体１０の中綿１１の一端部内に挿入され、また、ペン芯嵌合部８ａに嵌合させたペン芯２は、これの挿入誘導部２ａをインク吸蔵体１０の中綿１１の他端部内に挿入された状態になっている。
この挿入状態では、中綿挿入部１ｂの外周面全体が中綿１１に接触し、中綿１１に含浸させているインクをペン芯１に十分に供給できるようになっている。
【００２３】
互いに螺合させている先軸７と後軸８とを、互いの螺合状態を解除するように相対的に捻ると、先軸側吸蔵体嵌合保持部７ｃとインク吸蔵体１０とが相対的に回転することなく、後軸側吸蔵体嵌合保持部８ｃとインク吸蔵体１０とが相対的に回転する。
【００２４】
これにより、先軸７に嵌合されている角柱形のペン芯１とインク吸蔵体１０との相対的な回転が生じず、従って、ペン芯１の中綿挿入部１ｂと中綿１１とが広い面積で接触している状態が維持される。
この状態において、中綿１１に対してインクを補充しまたインクを十分に含有した新たなインク吸蔵体１０に交換し、上記とは逆の手順で、先軸７と後軸８とを螺合連結する。
【００２５】
この螺合連結の際にも、先軸側吸蔵体嵌合保持部７ｃとインク吸蔵体１０とが相対的に回転することなく、後軸側吸蔵体嵌合保持部８ｃとインク吸蔵体１０とが相対的に回転する。
これにより、中綿１１に含有されているインクを角柱形のペン芯１に十分に供給することができ、インクを補充したペン芯１又は新たなペン芯１を使って筆記する際、インクの掠れ等が生じることを防止することができる。
【００２６】
なお、中綿１１と略円柱形のペン芯２とは相対的に回転することになるが、この場合、軸対称な略円柱形のペン芯２を軸心として中綿１１が相対的に回転することになるので、当該略円柱形のペン芯２と中綿１１との接触面積が小さくなることがなく、ペン芯２を使用した筆記の際にも、インクの掠れ等を生じさせることはない。
【００３７】
なお、本発明は前述した実施形態に限るものではなく、次のような変形実施が可能である。
上記においては、角柱形のペン芯として断面長方形のものを例示したが、断面五角形以上の多角形のものであっても適用することができる。
【００３８】
【発明の効果】
本発明によれば、角柱形のペン芯を備えた先軸のインク吸蔵体に対する嵌合保持力を、当該インク吸蔵体と後軸との嵌合保持力よりも大きく設定するとともに、その嵌合保持力の差を先軸側吸蔵体嵌合保持部と後軸側吸蔵体嵌合保持部にそれぞれ形成したリブの突出量の長短又は面積の広狭により設定し、かつ、先軸と後軸との螺合状態を解除する際に、後軸側吸蔵体嵌合保持部とインク吸蔵体とが相対的に回転するように設定しているので、中綿を備えたインク吸蔵体にインクを補充しまたインク吸蔵体自体を新たなものに交換しようとするときにも、そのインク吸蔵体と角柱形のペン芯とが相対的に回転することがない。従って、交換前後でも角柱形のペン芯と軸対称な略円柱形のペン芯を備えた筆記具における筆記時のインクの掠れ等を防止することができる。
【図面の簡単な説明】
【図１】  本発明筆記具の第１の実施形態の側面図である。
【図２】  その断面図である。
【図３】  本発明筆記具の第１の実施形態の作用を説明するための断面図である。
【符号の説明】
１    角柱形のペン芯
２    略円柱形のペン芯
３    軸筒
７    先軸
８    後軸
１０  インク吸蔵体
１１  中綿
【図１】
0004817557.tif 000002
【図２】
0004817557.tif 000003
【図３】
0004817557.tif 000004